(57)【要約】【課題】  電子機器の表示部による表示の切り替えが外部機器のユーザーに把握される可能性を向上することができる電子機器および表示内容制御プログラムを提供する。【解決手段】  自身の表示部による表示の内容のうち、変化があった部分のデータを、リモート接続するコンピューターに送信する画像形成装置は、表示部による表示の内容を定期的に切り替える場合の時間間隔を、コンピューターとのリモート接続時であるときに、コンピューターとのリモート接続時ではないときよりも長くする（Ｓ６１〜Ｓ６５）ことを特徴とする。【選択図】  図８
2020191521.tif 000002
【特許請求の範囲】
【請求項１】
自身の表示部による表示の内容のうち、変化があった部分を含む少なくとも一部のデータを、リモート接続する外部機器に送信する電子機器であって、
前記表示部による表示の内容を制御する表示内容制御部を備え、
前記表示内容制御部は、前記表示部による表示の内容の少なくとも一部を定期的に切り替える場合の時間間隔を、前記外部機器とのリモート接続時であるときに、前記外部機器とのリモート接続時ではないときよりも長くすることを特徴とする電子機器。
【請求項２】
自身の表示部による表示の内容のうち、変化があった部分を含む少なくとも一部のデータを、リモート接続する外部機器に送信する電子機器によって実行されるプログラムであって、
前記表示部による表示の内容を制御する表示内容制御部を前記電子機器に実現させ、
前記表示内容制御部は、前記表示部による表示の内容の少なくとも一部を定期的に切り替える場合の時間間隔を、前記外部機器とのリモート接続時であるときに、前記外部機器とのリモート接続時ではないときよりも長くすることを特徴とする表示内容制御プログラム。
【発明の詳細な説明】
【技術分野】
【０００１】
本発明は、外部機器とリモート接続する電子機器および表示内容制御プログラムに関する。
【背景技術】
【０００２】
従来の電子機器として、外部機器とリモート接続して、自身の表示部における表示の内容を外部機器の表示部に表示させる画像形成装置が知られている（例えば、特許文献１参照。）。
【先行技術文献】
【特許文献】
【０００３】
【特許文献１】特開２０１８−１１０３４８号公報
【発明の概要】
【発明が解決しようとする課題】
【０００４】
しかしながら、従来の画像形成装置においては、画像形成装置自身の表示部による表示の内容のうち、変化があった部分のデータを外部機器に送信するとともに、画像形成装置自身の表示部による表示の内容を定期的に切り替える場合に、外部機器の表示部に表示される、画像形成装置自身の表示部による表示の内容において、定期的な切り替えがユーザーに把握され難いときがあるという問題がある。
【０００５】
例えば、従来の画像形成装置は、図１０（ａ）に示すように、画像形成装置自身の表示部において表示Ａと、表示Ｂとを５秒間隔で切り替える場合、時刻Ｔ１ａで画像形成装置自身の表示部において表示Ａを開始するとともに、この表示Ａのデータを外部機器に送信し、時刻Ｔ１ａの５秒後の時刻Ｔ２ａで画像形成装置自身の表示部において表示Ｂを開始するとともに、この表示Ｂのデータを外部機器に送信し、時刻Ｔ２ａの５秒後の時刻Ｔ３ａで画像形成装置自身の表示部において表示Ａを開始するとともに、この表示Ａのデータを外部機器に送信する。したがって、理想的には、外部機器は、図１０（ｂ）に示すように、時刻Ｔ１ｂで表示Ａのデータを受信して、このデータに基づいた表示Ａを外部機器自身の表示部において開始し、時刻Ｔ１ｂの５秒後の時刻Ｔ２ｂで表示Ｂのデータを受信して、このデータに基づいた表示Ｂを外部機器自身の表示部において開始し、時刻Ｔ２ｂの５秒後の時刻Ｔ３ｂで表示Ａのデータを受信して、このデータに基づいた表示Ａを外部機器自身の表示部において開始することによって、外部機器自身の表示部において表示Ａと、表示Ｂとを５秒間隔で切り替える。しかしながら、実際には、画像形成装置から外部機器までのデータの到達時間は、ネットワークにおける通信状況によって様々に変化する。そのため、例えば、外部機器は、図１０（ｃ）に示すように、時刻Ｔ１ｂで表示Ａのデータを受信して、このデータに基づいた表示Ａを外部機器自身の表示部において開始し、画像形成装置からのデータの到達時間が理想より４．９秒遅れたことによって、時刻Ｔ１ｂの９．９秒後の時刻Ｔ２ｂ´で表示Ｂのデータを受信して、このデータに基づいた表示Ｂを外部機器自身の表示部において開始し、時刻Ｔ２ｂ´の０．１秒後の時刻Ｔ３ｂで表示Ａのデータを受信して、このデータに基づいた表示Ａを外部機器自身の表示部において開始する場合もある。図１０（ｃ）に示す場合、時刻Ｔ２ｂ´から時刻Ｔ３ｂまでの間での外部機器の表示部における表示Ｂは、表示時間が短すぎて外部機器のユーザーによって把握されない可能性がある。
【０００６】
そこで、本発明は、電子機器の表示部による表示の切り替えが外部機器のユーザーに把握される可能性を向上することができる電子機器および表示内容制御プログラムを提供することを目的とする。
【課題を解決するための手段】
【０００７】
本発明の電子機器は、自身の表示部による表示の内容のうち、変化があった部分を含む少なくとも一部のデータを、リモート接続する外部機器に送信する電子機器であって、前記表示部による表示の内容を制御する表示内容制御部を備え、前記表示内容制御部は、前記表示部による表示の内容の少なくとも一部を定期的に切り替える場合の時間間隔を、前記外部機器とのリモート接続時であるときに、前記外部機器とのリモート接続時ではないときよりも長くすることを特徴とする。
【０００８】
この構成により、本発明の電子機器は、表示部による表示の内容を定期的に切り替える場合の時間間隔を、外部機器とのリモート接続時であるときに、外部機器とのリモート接続時ではないときよりも長くするので、外部機器とのリモート接続時に電子機器から外部機器までのデータの到達時間が理想より遅れたとしても、電子機器の表示部において切り替えられるそれぞれの表示の、外部機器の表示部における表示時間が十分に確保される可能性を向上することができる。したがって、本発明の電子機器は、電子機器の表示部による表示の切り替えが外部機器のユーザーに把握される可能性を向上することができる。
【０００９】
本発明の表示内容制御プログラムは、自身の表示部による表示の内容のうち、変化があった部分を含む少なくとも一部のデータを、リモート接続する外部機器に送信する電子機器によって実行されるプログラムであって、前記表示部による表示の内容を制御する表示内容制御部を前記電子機器に実現させ、前記表示内容制御部は、前記表示部による表示の内容の少なくとも一部を定期的に切り替える場合の時間間隔を、前記外部機器とのリモート接続時であるときに、前記外部機器とのリモート接続時ではないときよりも長くすることを特徴とする。
【００１０】
この構成により、本発明の表示内容制御プログラムを実行する電子機器は、表示部による表示の内容を定期的に切り替える場合の時間間隔を、外部機器とのリモート接続時であるときに、外部機器とのリモート接続時ではないときよりも長くするので、外部機器とのリモート接続時に電子機器から外部機器までのデータの到達時間が理想より遅れたとしても、電子機器の表示部において切り替えられるそれぞれの表示の、外部機器の表示部における表示時間が十分に確保される可能性を向上することができる。したがって、本発明の表示内容制御プログラムを実行する電子機器は、電子機器の表示部による表示の切り替えが外部機器のユーザーに把握される可能性を向上することができる。
【発明の効果】
【００１１】
本発明の電子機器および表示内容制御プログラムは、電子機器の表示部による表示の切り替えが外部機器のユーザーに把握される可能性を向上することができる。
【図面の簡単な説明】
【００１２】
【図１】本発明の一実施の形態に係るシステムのブロック図である。
【図２】ＭＦＰである場合の図１に示す画像形成装置のブロック図である。
【図３】図２に示す操作パネルの平面図である。
【図４】（ａ）図３に示すＬＣＤによって表示される画面の一例を示す図である。  （ｂ）画面の、図４（ａ）に示す例とは異なる一例を示す図である。
【図５】図２に示す切替間隔情報の一例を示す図である。
【図６】図１に示すコンピューターのブロック図である。
【図７】コンピューターとのリモート接続を実行する場合の図２に示す画像形成装置の動作のフローチャートである。
【図８】ＬＣＤによって表示される画面におけるステータス領域の表示の内容を定期的に切り替える場合の図２に示す画像形成装置の動作のフローチャートである。
【図９】（ａ）図２に示す画像形成装置の表示部における表示が定期的に切り替えられる状態を示す図である。  （ｂ）図６に示すコンピューターの表示部において、画像形成装置の表示部における表示に相当する表示が定期的に切り替えられる状態を示す図である。  （ｃ）図６に示すコンピューターの表示部において、画像形成装置の表示部における表示に相当する表示が不定期に切り替えられる状態を示す図である。
【図１０】（ａ）従来の画像形成装置の表示部における表示が定期的に切り替えられる状態を示す図である。  （ｂ）従来の外部機器の表示部において、画像形成装置の表示部における表示に相当する表示が定期的に切り替えられる状態を示す図である。  （ｃ）従来の外部機器の表示部において、画像形成装置の表示部における表示に相当する表示が不定期に切り替えられる状態を示す図である。
【発明を実施するための形態】
【００１３】
以下、本発明の実施の形態について、図面を用いて説明する。
【００１４】
まず、本発明の一実施の形態に係るシステムの構成について説明する。
【００１５】
図１は、本実施の形態に係るシステム１０のブロック図である。
【００１６】
図１に示すように、システム１０は、電子機器としての画像形成装置２０を備えている。システム１０は、画像形成装置２０以外にも、画像形成装置２０と同様の画像形成装置を少なくとも１つ備えることが可能である。システム１０における画像形成装置は、例えば、ＭＦＰ（Ｍｕｌｔｉｆｕｎｃｔｉｏｎ  Ｐｅｒｉｐｈｅｒａｌ）、プリンター専用機、コピー専用機、ファックス専用機、スキャナー専用機などである。システム１０における画像形成装置は、システム１０における画像形成装置の被提供者側のユーザー（以下「被提供者側ユーザー」という。）によって使用される。
【００１７】
システム１０は、システム１０における画像形成装置にリモート接続する外部機器としてのコンピューター３０を備えている。システム１０は、コンピューター３０以外にも、コンピューター３０と同様のコンピューターを少なくとも１つ備えることが可能である。システム１０におけるコンピューターは、例えば、ＰＣ（Ｐｅｒｓｏｎａｌ  Ｃｏｍｐｕｔｅｒ）などである。システム１０におけるコンピューターは、コールセンターやヘルプデスクなど、システム１０における画像形成装置の提供者側のユーザー（以下「提供者側ユーザー」という。）によって使用される。
【００１８】
システム１０における画像形成装置と、システム１０におけるコンピューターとは、例えばインターネットなどのネットワーク１１を介してリモート接続可能である。
【００１９】
システム１０は、システム１０における画像形成装置と、システム１０におけるコンピューターとがリモート接続している場合に、この画像形成装置と、このコンピューターとの協働によって、リモートガイダンスやリモートメンテナンスという機能を実現することができる。
【００２０】
リモートガイダンスとは、システム１０における画像形成装置の表示部における画面を、システム１０におけるコンピューターの表示部に表示することによって、提供者側ユーザーによる被提供者側ユーザーに対する電話を介した画像形成装置の操作の説明の支援をする機能である。提供者側ユーザーは、リモートガイダンスの機能を利用することによって、システム１０における画像形成装置の表示部における画面を確認することができる。したがって、提供者側ユーザーは、リモートガイダンスの機能を利用することによって、被提供者側ユーザーに対して電話を介して画像形成装置の操作を説明する場合に、被提供者側ユーザーによる画像形成装置の操作を容易に理解することができる。そのため、被提供者側ユーザーも、リモートガイダンスの機能を利用することによって、提供者側ユーザーから電話を介して画像形成装置の操作の説明を受ける場合に、提供者側ユーザーの指示を容易に理解することができる。
【００２１】
リモートメンテナンスとは、システム１０における画像形成装置をシステム１０におけるコンピューターの操作部を介して操作することによって、画像形成装置の調整や保守作業を実行可能にする機能である。提供者側ユーザーは、リモートメンテナンスの機能を利用することによって、システム１０における画像形成装置の設置場所を訪問する必要がなくなり、画像形成装置のメンテナンスのコストを削減することができる。
【００２２】
図２は、ＭＦＰである場合の画像形成装置２０のブロック図である。
【００２３】
図２に示す画像形成装置２０は、種々の操作が入力されるとともに種々の情報を表示する操作パネル２１と、用紙などの記録媒体に画像を印刷する印刷デバイスであるプリンター２４と、原稿から画像を読み取る読取デバイスであるスキャナー２５と、図示していない外部のファクシミリ装置と公衆電話回線などの通信回線経由でファックス通信を行うファックスデバイスであるファックス通信部２６と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部２７と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２８と、画像形成装置２０全体を制御する制御部２９とを備えている。
【００２４】
図３は、操作パネル２１の平面図である。
【００２５】
図２および図３に示すように、操作パネル２１は、種々の操作が入力される例えばボタンなどの操作デバイスである操作部２２と、種々の情報を表示する表示デバイスである表示部２３とを備えている。表示部２３は、種々の情報を表示するＬＣＤ（Ｌｉｑｕｉｄ  Ｃｒｙｓｔａｌ  Ｄｉｓｐｌａｙ）２３ａと、ＬＥＤ（Ｌｉｇｈｔ  Ｅｍｉｔｔｉｎｇ  Ｄｉｏｄｅ）２３ｂを含む複数のＬＥＤとを備えている。
【００２６】
図４（ａ）は、ＬＣＤ２３ａによって表示される画面４０の一例を示す図である。図４（ｂ）は、画面４０の、図４（ａ）に示す例とは異なる一例を示す図である。
【００２７】
図４に示す画面４０は、画像形成装置２０の状態を示すステータス領域４１を含んでいる。ステータス領域４１には、図４（ａ）に示す状態では、メインユニットのカバーが開いていることを示す「Ｍａｉｎ  ｕｎｉｔ  ｃｏｖｅｒ  ｉｓ  ｏｐｅｎ．」というメッセージが表示されており、図４（ｂ）に示す状態では、印刷の準備中であることを示す「Ｐｒｅｐａｒｉｎｇ  ｔｏ  ｐｒｉｎｔ．」というメッセージが表示されている。ＬＣＤ２３ａは、図４（ａ）に示す画面４０と、図４（ｂ）に示す画面４０とが定期的に切り替えられる。
【００２８】
図２に示すように、記憶部２８は、システム１０におけるコンピューターとのリモート接続を制御するためのリモート接続制御プログラム２８ａを記憶可能である。リモート接続制御プログラム２８ａは、例えば、画像形成装置２０の製造段階で画像形成装置２０にインストールされていても良いし、ＵＳＢ（Ｕｎｉｖｅｒｓａｌ  Ｓｅｒｉａｌ  Ｂｕｓ）メモリー、ＳＤカードなどの外部の記憶媒体から画像形成装置２０に追加でインストールされても良いし、ネットワーク上から画像形成装置２０に追加でインストールされても良い。
【００２９】
記憶部２８は、表示部２３による表示の内容を制御するための表示内容制御プログラム２８ｂを記憶可能である。表示内容制御プログラム２８ｂは、例えば、画像形成装置２０の製造段階で画像形成装置２０にインストールされていても良いし、ＵＳＢメモリー、ＳＤカードなどの外部の記憶媒体から画像形成装置２０に追加でインストールされても良いし、ネットワーク上から画像形成装置２０に追加でインストールされても良い。
【００３０】
記憶部２８は、表示部２３による表示の内容の定期的な切り替えの時間間隔を示す切替間隔情報２８ｃを記憶している。
【００３１】
図５は、切替間隔情報２８ｃの一例を示す図である。
【００３２】
図５に示すように、切替間隔情報２８ｃは、リモート接続時ではない通常時における表示の内容の切り替えの時間間隔と、リモート接続時における表示の内容の切り替えの時間間隔とを、表示部２３による表示の部分毎に示している。
【００３３】
図５に示す例では、切替間隔情報２８ｃは、表示部２３による表示の部分としてステータス領域４１を含んでいる。しかしながら、切替間隔情報２８ｃは、表示部２３による表示の部分として、ステータス領域４１以外にも様々な部分を含むことが可能である。例えば、切替間隔情報２８ｃは、表示部２３による表示の部分として、ＬＣＤ２３ａによって表示される画面におけるステータス領域４１以外の種々の領域と、ＬＥＤ２３ｂなど、表示部２３における種々のＬＥＤとを含むことが可能である。
【００３４】
なお、表示部２３による表示の同一の部分に関して、リモート接続時における表示の内容の切り替えの時間間隔は、通常時における表示の内容の切り替えの時間間隔より長く設定される。例えば、図５において、ステータス領域４１に関して、リモート接続時における表示の内容の切り替えの時間間隔は、通常時における表示の内容の切り替えの時間間隔である「５秒」より長い「１０秒」に設定される。
【００３５】
図２に示す制御部２９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２９のＣＰＵの作業領域として用いられるメモリーとしてのＲＡＭ（Ｒａｎｄｏｍ  Ａｃｃｅｓｓ  Ｍｅｍｏｒｙ）とを備えている。制御部２９のＣＰＵは、記憶部２８または制御部２９のＲＯＭに記憶されているプログラムを実行する。
【００３６】
制御部２９は、リモート接続制御プログラム２８ａを実行することによって、システム１０におけるコンピューターとのリモート接続を制御するリモート接続制御部２９ａを実現する。
【００３７】
制御部２９は、表示内容制御プログラム２８ｂを実行することによって、表示部２３による表示の内容を制御する表示内容制御部２９ｂを実現する。
【００３８】
図６は、コンピューター３０のブロック図である。
【００３９】
図６に示すように、コンピューター３０は、種々の操作が入力される例えばキーボード、マウスなどの操作デバイスである操作部３１と、種々の情報を表示する例えばＬＣＤなどの表示デバイスである表示部３２と、ＬＡＮ、インターネットなどのネットワーク経由で、または、ネットワークを介さずに有線または無線によって直接に、外部の装置と通信を行う通信デバイスである通信部３３と、各種の情報を記憶する例えば半導体メモリー、ＨＤＤなどの不揮発性の記憶デバイスである記憶部３４と、コンピューター３０全体を制御する制御部３５とを備えている。
【００４０】
制御部３５は、例えば、ＣＰＵと、プログラムおよび各種のデータを記憶しているＲＯＭと、制御部３５のＣＰＵの作業領域として用いられるメモリーとしてのＲＡＭとを備えている。制御部３５のＣＰＵは、記憶部３４または制御部３５のＲＯＭに記憶されているプログラムを実行する。
【００４１】
次に、システム１０の動作について説明する。
【００４２】
まず、コンピューター３０とのリモート接続を実行する場合の画像形成装置２０の動作について説明する。
【００４３】
図７は、コンピューター３０とのリモート接続を実行する場合の画像形成装置２０の動作のフローチャートである。
【００４４】
画像形成装置２０の制御部２９は、コンピューター３０とのリモート接続を開始する指示が操作部２２を介して入力されると、図７に示す動作を実行する。
【００４５】
図７に示すように、画像形成装置２０のリモート接続制御部２９ａは、コンピューター３０とのリモート接続を開始する（Ｓ５１）。
【００４６】
次いで、リモート接続制御部２９ａは、操作パネル２１の画像のデータを通信部２７を介してコンピューター３０に送信する（Ｓ５２）。したがって、コンピューター３０の制御部３５は、通信部３３を介して受信したデータに基づいて、操作パネル２１の画像を表示部３２に表示する。なお、Ｓ５２において送信されるデータには、ＬＣＤ２３ａによって表示されている画面の全体の画像のデータや、表示部２３におけるＬＥＤによる表示の内容を示す画像のデータなど、表示部２３による表示の内容を示す画像のデータが含まれている。
【００４７】
リモート接続制御部２９ａは、Ｓ５２の処理の後、例えば、コンピューター３０とのリモート接続を終了する指示が操作部２２を介して入力されるなど、リモート接続が終了する特定の状況が発生したか否かを判断する（Ｓ５３）。
【００４８】
リモート接続制御部２９ａは、リモート接続が終了する特定の状況が発生していないとＳ５３において判断すると、表示部２３による表示に変化があったか否かを判断する（Ｓ５４）。
【００４９】
リモート接続制御部２９ａは、表示部２３による表示に変化があったとＳ５４において判断すると、表示部２３による表示の内容のうち、変化があった部分のデータを通信部２７を介してコンピューター３０に送信する（Ｓ５５）。したがって、コンピューター３０の制御部３５は、表示部３２に表示している操作パネル２１の画像を、通信部３３を介して受信したデータに基づいて、変化させる。なお、Ｓ５５において送信されるデータには、ＬＣＤ２３ａによって表示されている画面に変化があった場合には、ＬＣＤ２３ａによって表示されている画面のうち、変化があった部分の画像のデータが含まれている。また、Ｓ５５において送信されるデータには、表示部２３におけるＬＥＤによる表示の内容に変化があった場合には、表示部２３におけるＬＥＤのうち、表示の内容に変化があったＬＥＤによる表示の内容を示す画像のデータが含まれている。
【００５０】
リモート接続制御部２９ａは、表示部２３による表示に変化がなかったとＳ５４において判断するか、Ｓ５５の処理が終了すると、Ｓ５３の処理を実行する。
【００５１】
リモート接続制御部２９ａは、リモート接続が終了する特定の状況が発生したとＳ５３において判断すると、コンピューター３０とのリモート接続を終了して（Ｓ５６）、図７に示す動作を終了する。
【００５２】
次に、ＬＣＤ２３ａによって表示される画面４０におけるステータス領域４１の表示の内容を定期的に切り替える場合の画像形成装置２０の動作について説明する。
【００５３】
図８は、ＬＣＤ２３ａによって表示される画面４０におけるステータス領域４１の表示の内容を定期的に切り替える場合の画像形成装置２０の動作のフローチャートである。
【００５４】
図８に示すように、表示内容制御部２９ｂは、リモート接続時であるか否かを判断する（Ｓ６１）。
【００５５】
表示内容制御部２９ｂは、リモート接続時ではない、すなわち、通常時であるとＳ６１において判断すると、切替間隔情報２８ｃにおいてステータス領域４１に関連付けられている通常時の時間間隔でステータス領域４１の表示の内容を定期的に切り替える処理を開始する（Ｓ６２）。
【００５６】
次いで、表示内容制御部２９ｂは、リモート接続時になったと判断するまで、リモート接続時になったか否かを判断する（Ｓ６３）。
【００５７】
表示内容制御部２９ｂは、リモート接続時であるとＳ６１において判断するか、リモート接続時になったとＳ６３において判断すると、切替間隔情報２８ｃにおいてステータス領域４１に関連付けられているリモート接続時の時間間隔でステータス領域４１の表示の内容を定期的に切り替える処理を開始する（Ｓ６４）。
【００５８】
次いで、表示内容制御部２９ｂは、通常時になったと判断するまで、通常時になったか否かを判断する（Ｓ６５）。
【００５９】
表示内容制御部２９ｂは、通常時になったとＳ６５において判断すると、Ｓ６２の処理を実行する。
【００６０】
図９（ａ）は、画像形成装置２０の表示部２３における表示が定期的に切り替えられる状態を示す図である。図９（ｂ）は、コンピューター３０の表示部３２において、画像形成装置２０の表示部２３における表示に相当する表示が定期的に切り替えられる状態を示す図である。図９（ｃ）は、コンピューター３０の表示部３２において、画像形成装置２０の表示部２３における表示に相当する表示が不定期に切り替えられる状態を示す図である。
【００６１】
画像形成装置２０は、図９（ａ）に示すように、表示部２３においてステータス領域４１の表示ａと、ステータス領域４１の表示ｂとを１０秒間隔で切り替える場合、時刻ｔ１ａで表示部２３において表示ａを開始するとともに、この表示ａのデータをコンピューター３０に送信し、時刻ｔ１ａの１０秒後の時刻ｔ２ａで表示部２３において表示ｂを開始するとともに、この表示ｂのデータをコンピューター３０に送信し、時刻ｔ２ａの１０秒後の時刻ｔ３ａで表示部２３において表示ａを開始するとともに、この表示ａのデータをコンピューター３０に送信する。したがって、理想的には、コンピューター３０は、図９（ｂ）に示すように、時刻ｔ１ｂで表示ａのデータを受信して、このデータに基づいた表示ａを表示部３２において開始し、時刻ｔ１ｂの１０秒後の時刻ｔ２ｂで表示ｂのデータを受信して、このデータに基づいた表示ｂを表示部３２において開始し、時刻ｔ２ｂの１０秒後の時刻ｔ３ｂで表示ａのデータを受信して、このデータに基づいた表示ａを表示部３２において開始することによって、表示部３２において表示ａと、表示ｂとを１０秒間隔で切り替える。しかしながら、実際には、画像形成装置２０からコンピューター３０までのデータの到達時間は、ネットワーク１１における通信状況によって様々に変化する。そのため、例えば、コンピューター３０は、図９（ｃ）に示すように、時刻ｔ１ｂで表示ａのデータを受信して、このデータに基づいた表示ａを表示部３２において開始し、画像形成装置２０からのデータの到達時間が理想より４．９秒遅れたことによって、時刻ｔ１ｂの１４．９秒後の時刻ｔ２ｂ´で表示ｂのデータを受信して、このデータに基づいた表示ｂを表示部３２において開始し、時刻ｔ２ｂ´の５．１秒後の時刻ｔ３ｂで表示ａのデータを受信して、このデータに基づいた表示ａを表示部３２において開始する場合もある。図９（ｃ）に示す場合であっても、時刻ｔ２ｂ´から時刻ｔ３ｂまでの間でのコンピューター３０の表示部３２における表示ｂは、表示時間が十分に確保されているので、コンピューター３０のユーザー、すなわち、提供者側ユーザーによって把握される可能性が高い。
【００６２】
以上に説明したように、画像形成装置２０は、表示部２３による表示の内容を定期的に切り替える場合の時間間隔を、コンピューター３０とのリモート接続時であるときに、コンピューター３０とのリモート接続時ではないときよりも長くする（Ｓ６１〜Ｓ６５）ので、コンピューター３０とのリモート接続時に画像形成装置２０からコンピューター３０までのデータの到達時間が理想より遅れたとしても、画像形成装置２０の表示部２３において切り替えられるそれぞれの表示の、コンピューター３０の表示部３２における表示時間が十分に確保される可能性を向上することができる。したがって、画像形成装置２０は、画像形成装置２０の表示部２３による表示の切り替えがコンピューター３０のユーザー、すなわち、提供者側ユーザーに把握される可能性を向上することができる。
【００６３】
なお、以上においては、ＬＣＤ２３ａによって表示される画面４０におけるステータス領域４１の表示の内容を定期的に切り替える場合について説明している。しかしながら、本発明は、ステータス領域４１の表示の内容だけでなく、表示部２３による表示の内容の少なくとも一部を定期的に切り替える場合について適用されることができる。例えば、本発明は、ＬＣＤ２３ａによって表示される画面におけるステータス領域４１以外の種々の領域の表示の内容を定期的に切り替える場合や、表示部２３における種々のＬＥＤの表示の内容を定期的に切り替える場合などについても適用されることができる。
【００６４】
画像形成装置２０は、本実施の形態において、表示部２３による表示の内容のうち、変化があった部分のデータをコンピューター３０に送信する。しかしながら、画像形成装置２０は、表示部２３による表示の内容のうち、変化があった部分を含む少なくとも一部のデータをコンピューター３０に送信する構成であれば良い。例えば、画像形成装置２０は、表示部２３による表示の内容の少なくとも一部に変化があった場合に、表示部２３による表示の内容の全体のデータをコンピューター３０に送信しても良い。
【００６５】
本発明の電子機器は、本実施の形態において画像形成装置であるが、ＰＣなど、画像形成装置以外の電子機器でも良い。
【符号の説明】
【００６６】
２０  画像形成装置（電子機器）
２３  表示部
２８ｂ  表示内容制御プログラム
２９ｂ  表示内容制御部
３０  コンピューター（外部機器）
４１  ステータス領域（表示部による表示の内容のうち、変化があった部分）
【図１】
2020191521.tif 000003
【図２】
2020191521.tif 000004
【図３】
2020191521.tif 000005
【図４】
2020191521.tif 000006
【図５】
2020191521.tif 000007
【図６】
2020191521.tif 000008
【図７】
2020191521.tif 000009
【図８】
2020191521.tif 000010
【図９】
2020191521.tif 000011
【図１０】
2020191521.tif 000012